(57)【要約】【課題】固定ベルトの着脱を容易に行うことができる、履き物を提供する。【解決手段】本発明に係る靴は、甲被及び底材を有し、足の履き口が形成された履き物本体と、前記履き口に挿入された足首における前記履き物本体の先端側に巻き付けられるように、Ｕ字型に形成された固定ベルトと、を備え、前記固定ベルトの一端部が、取付角度が変化しないように前記履き物本体に固定され、前記固定ベルトの他端部と、前記履き物本体とは、磁石を介して着脱自在となっており、前記固定ベルトが、前記Ｕ字型をなすように保形性を有している。【選択図】図１
2015023928.tif 000002
【特許請求の範囲】
【請求項１】
甲被及び底材を有し、足の履き口が形成された履き物本体と、
前記履き口に挿入された足首に対し、前記履き物本体の先端側に巻き付けられるように、Ｕ字型に形成された固定ベルトと、を備え、
前記固定ベルトの一端部が、取付角度が変化しないように前記履き物本体に固定され、
前記固定ベルトの他端部と、前記履き物本体とは、磁石を介して着脱自在となっており、
前記固定ベルトが、前記Ｕ字型をなすように保形性を有している、履き物。
【請求項２】
前記固定ベルトの両端部を離間させて、Ｕ字型から直線状に変形させるのに要する力が、５０〜５００ｇである、請求項１に記載の履き物。
【請求項３】
前記底材の先端部を固定し、前記固定ベルトを引き上げたときに、当該固定ベルトの他端部が前記履き物本体から離脱するのに要する力Ｆ１が、
前記底材の先端部を固定し、前記靴本体の後端部を引き上げて踵部分を１２ｃｍ上昇させるのに要する力Ｆ２よりも大きい、請求項１または２に記載の履き物。
【請求項４】
前記力Ｆ１は、１．０〜６．０ｋｇである、請求項３に記載の履き物。
【請求項５】
前記力Ｆ２は、０．５〜２．３ｋｇである、請求項３または４に記載の履き物。
【発明の詳細な説明】
【技術分野】
【０００１】
本発明は、履き物に関する。
【背景技術】
【０００２】
従来より、履き口に挿入された足の足首に固定ベルトを巻き付けることによって、足を固定する種々の靴が提案されている。このような固定ベルトは、足の固定のほか、装飾用としても用いられ、例えば、特許文献１には、リボンなどの装飾が施された固定ベルトによって、足首を固定する靴が開示されている。
【先行技術文献】
【特許文献】
【０００３】
【特許文献１】登録実用新案第３０１１７７７号公報
【発明の概要】
【発明が解決しようとする課題】
【０００４】
ところで、上記のような靴では、固定ベルトと履き口の後端部とで形成される開口が足首にフィットするように形成されているため、この開口からは踵を挿入することはできない。そのため、足を履き口に挿入する際には、一旦、固定ベルトを取り外す必要があり、足を靴の内部に配置した後に、ベルトを再度足首に巻き付けなければならなかった。したがって、靴を履くのに時間を要し、面倒であるという問題があった。このような問題は、靴だけでなく、スリッパ、サンダルなどの履き物全般に起こりうる問題である。本発明は、この問題を解決するためになされたものであり、固定ベルトの着脱を容易に行うことができる、履き物を提供することを目的とする。
【課題を解決するための手段】
【０００５】
本発明に係る履き物は、甲被及び底材を有し、足の履き口が形成された履き物本体と、前記履き口に挿入された足首における前記履き物本体の先端側に巻き付けられるように、Ｕ字型に形成された固定ベルトと、を備え、前記固定ベルトの一端部が、取付角度が変化しないように前記履き物本体に固定され、前記固定ベルトの他端部と、前記履き物本体とは、マグネットを介して着脱自在となっており、前記固定ベルトが、前記Ｕ字型をなすように保形性を有している。
【０００６】
この構成によれば、固定ベルトがＵ字型をなすように保形性を有し、その一端部は取付角度が変化しないように履き物本体に固定されているため、固定ベルトの他端部は、履き物本体から取り外しても、固定位置に近接するように位置する。そのため、例えば、足を動かして履き物本体を振動させると、固定ベルトの他端部が動き、マグネットにより、履き物本体の固定位置へ引き寄せられる。その結果、固定ベルトの他端部は、履き物本体へ固定される。したがって、固定ベルトの他端部が履き物本体から外れている状態から、手を使うことなく、固定ベルトの他端部を履き物本体へ固定することができる。一方、固定ベルトの他端部と履き物本体とはマグネットで固定されているため、足に力を入れて、履き物本体から引き上げれば、固定ベルトの他端部を履き物本体から取り外すことができ、これによって、履き物本体から足を抜き出すことができる。
【０００７】
上記履き物においては、固定ベルトがＵ字型をなすように保形性を有しているが、その保形性は、例えば、次のように設定することができる。すなわち、前記固定ベルトの両端部を離間させて、Ｕ字型から直線状に変形させるのに要する力が、５０〜５００ｇとすることができる。この程度に固定ベルトがＵ字型が保たれると、上述したように、手を使わずに、固定ベルトの他端部を履き物本体へ固定することができる。
【０００８】
上記履き物においては、前記底材の先端部を固定し、前記固定ベルトを引き上げたときに、当該固定ベルトの他端部が前記履き物本体から離脱するのに要する力Ｆ１が、前記底材の先端部を固定し、前記靴本体の後端部を引き上げて踵部分を１２ｃｍ上昇させるのに要する力Ｆ２よりも大きい、ことが好ましい。
【０００９】
前記力Ｆ１は、例えば、１．０〜６．０ｋｇとすることができる。
【００１０】
また、前記力Ｆ２は、例えば、０．５〜２．５ｋｇとすることができる。
【発明の効果】
【００１１】
本発明に係る履き物によれば、固定ベルトの着脱を容易に行うことができる。
【図面の簡単な説明】
【００１２】
【図１】本発明に係る履き物を靴に適用した場合に、当該靴を左側から見た斜視図である。
【図２】図１の靴を右側から見た斜視図である。
【図３】図１の靴を履いた状態（足が入った状態）を示す斜視図である。
【図４】図１の靴の使用方法を示す図である。
【図５】図１の靴の使用方法を示す図である。
【図６】図１の靴の使用方法を示す図である。
【図７】靴を履いて歩行したときの様子を示す図である。
【図８】図１の靴の他の例を示す断面図である。
【図９】図８のＡ−Ａ線断面図である。
【図１０】図８の靴の製造方法の一例を示す断面図である。
【図１１】図８の靴の製造方法の他の例を示す断面図である。
【図１２】図８の靴の製造方法の他の例を示す断面図である。
【図１３】図８の靴の製造方法の他の例を示す断面図である。
【図１４】図８の靴の製造方法の他の例を示す断面図である。
【図１５】図８の靴の製造方法の他の例を示す断面図である。
【図１６】図８の靴の製造方法の他の例を示す断面図である。
【発明を実施するための形態】
【００１３】
以下、本発明に係る履き物を靴に適用した場合の一実施形態について、図面を参照しつつ説明する。図１は本実施形態に係る靴を左側から見た斜視図、図２は図１の靴を右側から見た斜視図、図３は図１の靴を履いた状態（足が入った状態）を示す斜視図である。なお、以下の説明では、図１の左側を「先端」、「前」、右側を「後端」、「後」と称し、これを基準として他の図面においても同様に靴の説明を行う。
【００１４】
図１に示すように、この靴は、靴本体１と、足を靴本体１に固定するための固定ベルト２とを備えている。靴本体１は、上部に履き口１１を有する甲被（アッパーともいう）１２と、この甲被１２の下部に取り付けられた底材１３と、で構成されている。甲被１２と底材１３とは種々の固定方法で固定することができるが、例えば、甲被１２の下端縁を内側に折り返し、この折り返された部分を底材１３に接着剤などで直接固定することができる。あるいは、甲被１２の下端縁を内側に折り返し、この折り返された部分に甲被１２の内側から中底を接着剤などで固定する。そして、この中底の全面を接着剤などにより底材１３に固定することもできる。また、甲被１２の内部には、必要に応じて中敷きを配置することができる。ここでは、図示を省略するが、底材１３の上面に中敷きが配置されているとする。
【００１５】
固定ベルト２は、Ｕ字型に形成され、履き口１１を上方から横断するように配置される。すなわち、履き口１１に挿入された足首に対し、靴本体１２の先端側から巻き付くように配置される。このために、固定ベルト２の一方（図１の紙面の手前側）の端部（以下、第１端部）は、履き口１１の一方の側部（以下、第１側部）に位置する甲被１２に固定され、固定ベルト２の他方の端部（以下、第２端部）は、履き口１１の反対側の側部（第２側部）に磁石２１によって着脱自在に固定される。
【００１６】
固定ベルト２の第１端部は、次のように甲被１２に固定される。すなわち、図２に示すように、甲被１２の第１側部に２箇所の切り込み１２１，１２２を形成する。そして、履き口１１の中から固定ベルト２の第１端部を上側の切り込み１２１に通した後、甲被１２の外部に引き出し、さらに下側の切り込み１２２に挿入する。続いて、２つの切り込み１２１，１２２の間で外部に露出した固定ベルト２と甲被１２とを貫通するように、ボタン１２３で両者を固定する。このように固定ベルト２の第１端部は、２つの切り込み１２１，１２２を通過するように甲被１２に取付けられているため、甲被１２に対して角度が変更できないように固定されている。
【００１７】
一方、固定ベルト２の第２端部において、甲被１２側を向く面には円形の磁石２１が取付けられている。この磁石２１は、種々の磁石を用いることができるが、例えば、ネオジム磁石のような強力な磁石を用いることが好ましい。また、甲被１２の第２側部において、固定ベルト２の磁石２１と対応する位置には、円形の磁石１２４が取付けられている。この磁石１２４は、固定ベルト２と同様に、ネオジム磁石などを用いることができる。固定ベルトの磁石２１と、甲被の磁石１２４とは、例えば、平面同士が接触するように構成されている。これにより、固定ベルト２を引っ張ると、固定ベルト２の磁石２１が甲被１２の磁石１２４上をスライドしながら、両者を離間させることができる。なお、甲被１２の磁石１２４は、外部に露出するように取り付けることができるほか、外部から見えないように甲被１２の内側に配置することもできる。
【００１８】
ここで必要とされる磁石の磁力は、例えば、次のように規定することができる。まず、固定ベルト２の第２端部の磁石２１を、甲被１２の磁石１２４に取付ける。そして、底材１３の先端部（概ね拇指球の位置よりも先端側の部分）を固定した後、固定ベルト２を上方に引き上げ、固定ベルト２の磁石１２４が甲被１２から外れるときの力をバネ秤などで測定する。このときの力Ｆ１は、１．０ｋｇ以上であることが好ましく、２．０ｋｇ以上であることがさらに好ましく、２．５ｋｇ以上であることが特に好ましい。一方、上限は、ユーザが固定ベルト２を取り外すときのストレスを軽減するため、６．０ｋｇ以下が好ましく、５．０ｋｇ以下がさらに好ましく、４．０ｋｇ以下が特に好ましく、３．０ｋｇ以下がより好ましい。
【００１９】
固定ベルト２は、合皮、本革などで形成された革材、合成樹脂（プラスチック、ナイロン、ポリウレタン、EVAスポンジなども含む）、織布、天然ゴム、合成ゴム、不織布、金属などで形成することができ、Ｕ字型を保つように保形性を有している。保形性を有するには、固定ベルト２の材料を予めＵ字型に成形したり、あるいは直線状に形成したものを湾曲させ、癖を付けるようにすることもできる。また、ここでいう保形性の物性としては、例えば、固定ベルト２を靴本体１から取り外し、両端を広げてほぼ１８０度まで直線状に延ばすのに必要な力が、５０〜５００ｇであることが好ましく、７０〜４００ｇであることがさらに好ましく、８５〜３００ｇであることが特に好ましい。
【００２０】
次に、上記靴における各部の寸法の概要について説明する。図１に示すように、靴本体１の履き口１１の前後方向の長さＬ２は、靴の長さＬ１に対し、約２５〜約５０％の長さであることが容易な脱ぎ履きには好ましい。そして、前後方向において、靴本体１の後端から固定ベルト２の最先部までの長さＬ３は、上記長さＬ２よりも短くなっている。また、固定ベルト２の前後方向の最先部２２１は、固定ベルト２の両端部よりも前方に位置するように、甲被１２に対する固定ベルト２の角度が規定されている。そして、この固定ベルト２と履き口１１の後端部とで、足が挿入される挿入開口（内径Ｌ４）が規定される。
【００２１】
次に、上記のように構成された靴の使用方法について、図４〜図６を参照しつつ説明する。まず、靴の履き方について説明する。図４（ａ）に示すように、固定ベルト２の磁石２１を甲被１２の磁石１２４に取付けた状態で、挿入開口に足を挿入する。この挿入開口の前後方向の内径Ｌ４は、足首にフィットするように形成されているため、足先は挿入できるが踵までは挿入できない。そのため、足首よりも先端側が挿入開口に挿入され、踵は履き口１１の後端に載るような状態となる。続いて、足先を中敷きの先端側に載せた上で、これを中心に踵を上方へ勢いよく引き上げる。これにより、図４（ｂ）に示すように、足の甲に固定ベルト２が引っ掛けられるため、踵の引き上げとともに固定ベルト２が持ち上げられ、固定ベルト２の磁石２１が甲被１２の磁石１２４から外れる。この状態で、図４（ｃ）に示すように、足先を靴本体１の先端側に移動させ、足全体を履き口１１から靴本体１の中に配置する。
【００２２】
この状態では、足は靴本体１の中に配置されているが、固定ベルト２の磁石２１は外れたままである。そこで、図４（ｄ）に示すように、靴を履いたままで足を後方に少し振り上げた後、図４（ｅ）に示すように、前方に軽く蹴り上げる。そして、図５（ａ）に示すように、足を戻しながら、靴本体１の踵を地面に付けると、固定ベルト２の磁石２１が甲被１２の磁石１２４に吸着される。これにより、足首は、固定ベルト２に巻き付けられ、靴に固定される。このように、本実施形態に係る靴の固定ベルト２は、Ｕ字型の保形性を有するとともに、磁石２１，１２４により靴本体１に固定されるため、靴を軽く振ると、固定ベルト２は、足首に巻き付く固定位置に戻りつつ、固定ベルト２の磁石２１が甲被１２の磁石１２４に吸着される。その結果、図５（ｂ）や図５（ｃ）に示すように、固定ベルト２は固定位置に配置される。
【００２３】
そして、この状態から靴を脱ぐには、図５（ｃ）に示す状態から、足先を中心に踵を上方へ勢いよく引き上げる。これにより、図６（ａ）に示すように、足の甲に固定ベルト２が引っ掛けられ、踵の引き上げとともに固定ベルト２が持ち上げられる。その結果、固定ベルト２の磁石２１が甲被の磁石１２４から外れる。そして、図６（ｂ）及び図６（ｃ）に示すように、足を靴から抜き出すことができる。
【００２４】
以上のように、本実施形態によれば、固定ベルト２がＵ字型をなすように保形性を有し、その第１端部は取付角度が変化しないように靴本体１に固定されているため、固定ベルト２の第２端部は、靴本体１から取り外しても、Ｕ字形状を保つ。そのため、例えば、足を動かして靴本体１を振動させると、固定ベルト２の第２端部が動き、磁石２１，１２４により、靴本体１の固定位置へ引き寄せられる。その結果、固定ベルト２の第２端部は、靴本体１へ固定される。したがって、固定ベルト２の第２端部が靴本体から外れている状態から、手を使うことなく、固定ベルト２の第２端部を靴本体へ固定することができる。一方、固定ベルト２の第２端部と靴本体１とは磁石２１，１２４で固定されているため、足に力を入れて、靴本体１から引き上げれば、固定ベルト２の第２端部を靴本体１から取り外すことができ、これによって、靴本体１から足を抜き出すことができる。
【００２５】
以上、本発明の一実施形態について説明したが、本発明は上記実施形態に限定されるものではなく、その趣旨を逸脱しない限りにおいて、種々の変更が可能である。
【００２６】
ところで、本実施形態に係る靴は、上記のように、固定ベルト２が磁石２１，１２４で靴本体１に固定されているため、靴を履いて歩行や走行するときに、磁石が外れないようにすることが必要である。そのためには、磁石の強度を強くすればよいのであるが、そのようにすると、図４や図６で説明したように靴を履いたり、脱いだりするときに、固定ベルト２を取り外しがたいという問題がある。そのため、磁石による磁力はできるだけ小さい方が好ましい。そこで、歩行中の靴の動きを考察すると、以下の通りである。
【００２７】
図７に示すように、歩行中または走行中には、靴は、まず踵から地面を離れ、最後に足先が地面を離れる。すなわち、靴底全体が地面から離れるまでは、足先で地面を蹴り上げる（または踏ん張る）のであるが、この際、靴本体１は足先を支点として湾曲していく（白線参照）。そして、靴本体１はこの湾曲から復元しようすする方向（矢印参照）に力を作用させるので、この力が磁石２１，１２４の磁力に抗して、固定ベルト２を靴本体１から外そうとする。したがって、湾曲からの復元力が小さいほど、つまり、靴を湾曲させるのに要する力が小さいほど、固定ベルト２は外れにくくなる。この観点から、靴本体１は、以下のような物性を有することが好ましい。
【００２８】
すなわち、底材１３の先端部（概ね拇指球の位置よりも先端側の部分）を固定した後、履き口１１の最後尾をバネ秤で引き上げ、踵が１２ｃｍ地面から浮き上がったときの力Ｆ２が、２．５ｋｇ以下であることが好ましく、２．０ｋｇ以下であることがさらに好ましく、１．３ｋｇ以下であることが特に好ましい。下限値は、特には限定されないが、概ね０．５ｋｇ以上であればよい。このように、靴本体１を湾曲させる力が小さいほど、歩行時に固定ベルト２が外れにくくなる。その結果、磁石２１，１２４の磁力を小さくすることができ、靴を履くとき、または脱ぐときに小さい力で固定ベルト２を取り外すことができる。また、上述した力Ｆ１との比較では、力Ｆ１は、力Ｆ２より大きく、力Ｆ２の１．２倍以上が好ましく、１．５倍以上がさらに好ましい。これにより、歩行中あるいは走行中に磁石が外れるのを防止することができる。
【００２９】
なお、上記力Ｆ２を小さくするには、底材１３の材料を柔らかくすること、甲被１２の材料を柔らかくすること、または、中底をなくすことなどが挙げられる。ここで、中底をなくすためには、次のように甲被と底材を構成することができる。
【００３０】
まず、図８及び図９に示すように、底材１を、靴の底部を構成する底材本体１１と、この底材本体１１の周縁に全周に亘って形成された壁部１２と、で構成する。底材本体１１と壁部１２とは、別個に形成されたものを接合してもよいし、一体的に形成することもできる。底材１の材料は特には限定されないが、ゴム、合成樹脂などで形成することができる。また、後述するように、甲被２を底材１に対してしっかりと固定するため、壁部１２の高さは、例えば、２〜３５ｍｍとすることができ、壁部１２の上面の幅は、例えば、１．５〜１５ｍｍとすることができる。
【００３１】
続いて、甲被２を、甲被本体２１と、その下端部の全周に亘って取り付けられ帯状に形成された補助部材２２とで、構成する。補助部材２２は、甲被本体２１と同様のシート状の材料、つまり、合皮、本革などで形成された革材、合成樹脂、織布、不織布などで形成されており、甲被本体２１の内壁面に、固定されている。より詳細に説明すると、図１０（ａ）に示すように、甲被本体２１の内壁面の下端縁から所定の長さだけ上方の位置に、補助部材２２の上端部が固定されている。これにより、補助部材２２は、甲被本体２１の内側で揺動自在となっており、互いに離間可能となっている。また、補助部材２２の上下方向の長さは、例えば、底材１の壁部１２と接触する部分の上下方向の長さが２ｍｍ以上となるようにすることが好ましく、壁部１２と同じ高さまで伸ばすことができる。なお、甲被本体２１と補助部材２２とは縫製により固定することもできるし、接着剤で固定することもできる。この点は、以下の説明でも同じである。
【００３２】
そして、底材１と甲被２との接合は、次のように行われている。すなわち、図１０（ｂ）に示すように、甲被本体２１の下端縁が、外側に折り返され、この下端縁の内壁面が、底材１の壁部１２の上面に固定される。また、補助部材２２は、底材１の壁部１２の内壁面に固定される。これらの固定は、縫製でもよいし、接着剤であってもよい。こうして、図８及び図９に示すような靴が形成される。その他、甲被の形態は、図１１〜図１６に示すような形態にすることができる。
【００３３】
上記実施形態では、固定ベルト２と甲被１の両方に磁石を設けているが、いずれか一方でもよい。その場合、他方には金属板など、磁石に吸着可能な材料を配置する。また、上記説明では、磁石同士が接する面は、平坦にしているが、外れないようにするために、凹凸を設けてもよい。
【００３４】
固定ベルト２の第１端部の甲被１２に対する取付方法は特には限定されず、甲被１２に対する取付角度が変わらないようであれば、種々の方法ができよう可能である。
【００３５】
底材１３、甲被１２の形状、デザインも適宜変更可能である。
【００３６】
上記実施形態では、本発明を靴に適用した例を説明したが、本発明は、スリッパを含めた履き物全般に適用することができる。したがって、甲被２の形状は特には限定されず、プレーントゥ、モンクストラップ、ローファーなどの革靴、ブーツ、スニーカー、サボサンダル、モカシン、スリッパなど、種々の履き物に適用可能である。
【符号の説明】
【００３７】
１  靴本体（履き物本体）
１１  履き口
１２  甲被
１２４  磁石
２    固定ベルト
２１  磁石
【図１】
2015023928.tif 000003
【図２】
2015023928.tif 000004
【図３】
2015023928.tif 000005
【図４】
2015023928.tif 000006
【図５】
2015023928.tif 000007
【図６】
2015023928.tif 000008
【図７】
2015023928.tif 000009
【図８】
2015023928.tif 000010
【図９】
2015023928.tif 000011
【図１０】
2015023928.tif 000012
【図１１】
2015023928.tif 000013
【図１２】
2015023928.tif 000014
【図１３】
2015023928.tif 000015
【図１４】
2015023928.tif 000016
【図１５】
2015023928.tif 000017
【図１６】
2015023928.tif 000018